(57)【要約】      （修正有）【課題】異なる身体部位に対して運動することができる多機能健康器具を提供する。【解決手段】外部に、グリップ２０が実装され、対応して結合できる二つの対応する中空カバー体１０と、それぞれ、上記の二つの中空カバー体１０内に結合される二つのカウンターウェイトモジュール３０とを含有する。上記二つのグリップを有する中空カバー体１０が、対応して結合されていない状態では、独自に使用しても、又は両方を同時に使用してもよい。また、上記二つの中空カバー体１０を、異なる組立てにより、多種類の健康器具として活用することもできる。【選択図】図２
0003194363.tif 000002
【実用新案登録請求の範囲】
【請求項１】
外部に、グリップが実装され、対応して結合できる二つの対応する中空カバー体と、
それぞれ、上記の二つの中空カバー体内に結合される二つのカウンターウェイトモジュールと、
が含有される
ことを特徴とする多機能健康器具。
【請求項２】
上記グリップの端部に、結合柱が設けられ、上記結合柱の先端に、大径の錐部が形成され、上記中空カバー体に、上記結合柱に対応する結合孔が形成され、上記結合孔の周縁に、リング状に、上記錐部に対応した弾性シートが設けられ、上記結合柱が、上記結合孔に貫設され、その錐部を利用して、弾性シートに合わせて、上記結合孔に係止されて、上記グリップが、上記中空カバー体に実装されることを特徴とする請求項１に記載の多機能健康器具。
【請求項３】
上記カウンターウェイトモジュールに、定位シートと複数のカウンターウェイト環状シート及び閉鎖シートからなり、上記定位シートの中央に、貫通孔が形成され、その一面に、凹槽があって、もう一面に、中空スリーブが設けられ、上記中空カバー体内に、中空突出柱が設置され、上記中空突出柱が、上記定位シートの中空スリーブに対応して嵌入されることにより、上記定位シートが、上記中空カバー体内に固定され、上記凹槽に、複数の上記カウンターウェイト環状シートが収納され、上記凹槽の槽縁壁に、隣り合う深い凹槽と浅い凹槽が形成され、上記深い凹槽の浅い凹槽の近くにある槽面と浅い凹槽の槽面に、径方向溝が形成され、上記閉鎖シートの外周縁に、突出係止ブロックが形成され、上記定位シートに面する一面の中央に、定位柱が設けられ、上記中空カバー体内の中央に、凹み孔が形成され、上記定位柱が、順に、複数の上記カウンターウェイト環状シートと上記定位シートの貫通孔に通された後、上記中空カバー体の凹み孔に貫設され、同時に、上記閉鎖シートの突出係止ブロックが、上記深い凹槽に係止されて、上記閉鎖シートを回転させ、上記閉鎖シートの突出係止ブロックが、更に、上記径方向溝に係止され、上記閉鎖シートが、上記定位シートに係止されて、複数の上記カウンターウェイト環状シートを、上記定位シートの凹槽内に閉鎖することを特徴とする請求項１に記載の多機能健康器具。
【請求項４】
上記定位シートにおいて、上記凹槽の周囲に、リング状に、複数のパッドが設置されることを特徴とする請求項３に記載の多機能健康器具。
【請求項５】
上記中空突出柱が、対応して、上記定位シートの中空スリーブに貫設される時、ボルトで、互いに螺着されることを特徴とする請求項３に記載の多機能健康器具。
【請求項６】
複数の上記カウンターウェイト環状シートが、異なるサイズであることを特徴とする請求項３に記載の多機能健康器具。
【請求項７】
上記凹槽の槽壁が、上記の異なるサイズであるカウンターウェイト環状シートに対応して収納するように、階段状に形成されることを特徴とする請求項３に記載の多機能健康器具。
【請求項８】
上記閉鎖シートにおいて、上記定位柱と異なる一面の中央に、二つの対応する第二凹槽が形成され、二つの上記第二凹槽の間に、仕分け壁が形成されることを特徴とする請求項３に記載の多機能健康器具。
【請求項９】
上記閉鎖シートにおいて、上記定位柱の一面に、複数のリブが形成されることを特徴とする請求項３に記載の多機能健康器具。
【請求項１０】
上記中空カバー体に、溝が形成され、上記溝に、作動部材が枢着され、上記定位シートに、二つの貫通槽と二つの係止部が形成され、上記中空カバー体に面する一面に、搖動部材が枢着され、上記搖動部材の一端から、二つの係止シートが伸び、二つの上記係止シートの一側に、バネが設置され、二つの上記係止シートが、それぞれ、二つの上記貫通槽に貫設されて、もう一つのカウンターウェイトモジュールの定位シートの二つの係止部に係止され、これにより、上記作動部材により、上記搖動部材が連動されて揺動して、上記搖動部材の二つの係止シートが、もう一つのカウンターウェイトモジュールの定位シートの二つの係止部に対して、係止又は脱離することにより、二つの上記中空カバー体が、対応して結合又は脱離状態になることを特徴とする請求項１又は３に記載の多機能健康器具。
【考案の詳細な説明】
【技術分野】
【０００１】
本考案は、多機能健康器具に関するものであり、さらに詳しくは、部品の組み合わせを利用することにより、多種類の機能である運動器材形態を実現し、異なる身体の部位の運動を行うことができる多機能健康器具に関するものである。
【背景技術】
【０００２】
従来の運動重量玉は、玉体と重り、第一蓋体及び第二蓋体が備えられ、玉体には、貫通孔があり、貫通孔が、玉体に貫設され、重りが、貫通孔に設置され、重りは、密度が、玉体より大きく、第一蓋体と第二蓋体は、それぞれ、玉体の表面に設置されて、貫通孔の両端を覆うように構成されている。また、例えば、台湾新型専利Ｍ４２９５０４のように、二等分に切り分けられた二つの半球形体を対向して粘着して空心玉体が構成され、また、二つの半球形体が、対向する縁の所定位置において、手握り状態に対応して、対称的に、二つの垂直的な長い円弧孔が形成され、二つの長い円弧孔に隣り合う半球形体の外縁壁に、所定の高さと厚さを有するグリップが形成され、また、長い円弧孔の二つの内縁壁と二つの半球形体の周壁は、対向して、閉鎖された収納室が形成されるように粘着する。その目的は、手部や足部で、玉体を持ちながら、腕木や手首及び足部の揺動とねじりを行って、筋力をつける運動体操を実行する。
【０００３】
しかしながら、上記の運動重量玉は、１．使用者が、自己の必要に応じて、運動重量玉の重りの重量を調整できないという問題がある。
２．単一の使用機能で、多種類の機能の運動器材模式を実行することができず、多元化により、身体部位の体操をすることができないなどの欠点がある。使用者が、他の身体部位の体操に拡大したい場合、別に、他の運動模式の運動器材を購入しなければならず、経済的に問題が生ずるだけでなく、家宅に、新購入した運動器材を収納するための空間も考慮しなければならない。
【考案の概要】
【考案が解決しようとする課題】
【０００４】
従って、本考案の目的は、ユーザーが、自身の必要に応じて、カウンターウェイトの環状シートの数を増減して、上記カウンターウェイトモジュールの重量を調整し、上記中空カバー体が、対応して結合又は脱離することにより、例えば、重量玉や亜鈴及び腕立て伏せ補助器等の多種類機能の運動器材として利用して、異なる身体部位に対して運動することができる多機能健康器具を提供することにある。
【課題を解決するための手段】
【０００５】
かくして、請求項１の考案によれば、外部に、グリップが実装され、対応して結合できる二つの対応する中空カバー体と、それぞれ、上記の二つの中空カバー体内に結合される二つのカウンターウェイトモジュールとが含有されることを特徴とする多機能健康器具を提供することにある。
【０００６】
請求項２の考案によれば、上記グリップの端部に、結合柱が設けられ、上記結合柱の先端に、有大径の錐部が形成され、上記中空カバー体に、上記結合柱に対応する結合孔が形成され、上記結合孔の周縁に、リング状に、上記錐部に対応した弾性シートが設けられ、上記結合柱が、上記結合孔に貫設され、その錐部を利用して、弾性シートに合わせて、上記結合孔に係止されて、上記グリップが、上記中空カバー体に実装されることを特徴とする請求項１に記載の多機能健康器具が提供される。
【０００７】
請求項３の考案によれば、上記カウンターウェイトモジュールに、定位シートと複数のカウンターウェイト環状シート及び閉鎖シートからなり、上記定位シートの中央に、貫通孔が形成され、その一面に、凹槽があって、もう一面に、中空スリーブが設けられ、上記中空カバー体内に、中空突出柱が設置され、上記中空突出柱が、上記定位シートの中空スリーブに対応して嵌入されることにより、上記定位シートが、上記中空カバー体内に固定され、上記凹槽に、複数の上記カウンターウェイト環状シートが収納され、上記凹槽の槽縁壁に、隣り合う深い凹槽と浅い凹槽が形成され、上記深い凹槽の浅い凹槽の近くにある槽面と浅い凹槽の槽面に、径方向溝が形成され、上記閉鎖シートの外周縁に、突出係止ブロックが形成され、また、上記定位シートに面する一面の中央に、定位柱が設けられ、上記中空カバー体内の中央に、凹み孔が形成され、上記定位柱が、順に、複数の上記カウンターウェイト環状シートと上記定位シートの貫通孔に通された後、上記中空カバー体の凹み孔に貫設され、同時に、上記閉鎖シートの突出係止ブロックが、上記深い凹槽に係止されて、上記閉鎖シートを回転させ、上記閉鎖シートの突出係止ブロックが、更に、上記径方向溝に係止され、上記閉鎖シートが、上記定位シートに係止されて、複数の上記カウンターウェイト環状シートを、上記定位シートの凹槽内に閉鎖することを特徴とする請求項１に記載の多機能健康器具が提供される。
【０００８】
請求項４の考案によれば、上記定位シートにおいて、上記凹槽の周囲に、リング状に、複数のパッドが設置されることを特徴とする請求項３に記載の多機能健康器具が提供される。
【０００９】
請求項５の考案によれば、上記中空突出柱が、対応して、上記定位シートの中空スリーブに貫設される時、ボルトで、互いに螺着されることを特徴とする請求項３に記載の多機能健康器具が提供される。
【００１０】
請求項６の考案によれば、複数の上記カウンターウェイト環状シートが、異なるサイズであることを特徴とする請求項３に記載の多機能健康器具が提供される。
【００１１】
請求項７の考案によれば、上記凹槽の槽壁が、上記の異なるサイズであるカウンターウェイト環状シートに対応して収納するように、階段状に形成されることを特徴とする請求項３に記載の多機能健康器具が提供される。
【００１２】
請求項８の考案によれば、上記閉鎖シートにおいて、上記定位柱と異なる一面の中央に、二つの対応する第二凹槽が形成され、二つの上記第二凹槽の間に、仕分け壁が形成されることを特徴とする請求項３に記載の多機能健康器具が提供される。
【００１３】
請求項９の考案によれば、上記閉鎖シートにおいて、上記定位柱の一面に、複数のリブが形成されることを特徴とする請求項３に記載の多機能健康器具が提供される。
【００１４】
請求項１０の考案によれば、上記中空カバー体に、溝が形成され、上記溝に、作動部材が枢着され、上記定位シートに、二つの貫通槽と二つの係止部が形成され、上記中空カバー体に面する一面に、搖動部材が枢着され、上記搖動部材の一端から、二つの係止シートが伸び、二つの上記係止シートの一側に、バネが設置され、二つの上記係止シートが、それぞれ、二つの上記貫通槽に貫設されて、もう一つのカウンターウェイトモジュールの定位シートの二つの係止部に係止され、これにより、上記作動部材により、上記搖動部材が連動されて動揺して、上記搖動部材の二つの係止シートが、もう一つのカウンターウェイトモジュールの定位シートの二つの係止部に対して、係止したり脱離したりして、二つの上記中空カバー体が、対応して結合したり脱離したりする状態になることを特徴とする請求項１又は３に記載の多機能健康器具が提供される。
【００１５】
以下、図面を参照しながら、本考案の特徴や技術内容について、詳しく説明するが、それらの図面等は、参考や説明のためであり、本考案は、それらによって限定されるものではない。
【考案を実施するための最良の形態】
【００１６】
図１〜４のように、本考案によれば、多機能健康器具が提供される。外部に、グリップ２０が実装され、対応して結合できる二つの対応する中空カバー体１０と、それぞれ、上記二つの中空カバー体１０内に結合される二つのカウンターウェイトモジュール３０と、が含有される。また、上記グリップ２０の端部に、結合柱２１が設けられる。上記結合柱２１の先端に、大径の錐部２２が形成され、上記中空カバー体１０に、上記結合柱２１に対応する結合孔１１が形成され、上記結合孔１１の周縁に、リング状に、上記錐部２２に対応した弾性シート１２が設けられ、上記結合柱２１が、上記結合孔１１に貫設され、その錐部２２を利用して、弾性シート１２に合わせて、上記結合孔１１に係止されて、上記グリップ２０が、上記中空カバー体１０に実装される。
【００１７】
図１〜２と図５〜１２に示すように、上記カウンターウェイトモジュール３０には、定位シート４０と複数の異なるサイズのカウンターウェイト環状シート５０及び閉鎖シート６０が備えられる。上記定位シート４０は、中央に、貫通孔４７が形成され、その一面の槽壁に、階段状の凹槽４１が形成され、上記凹槽４１の周囲に、リング状に、複数のパッド４４が設置される。上記定位シート４０のもう一面に、中空スリーブ４２が形成され、上記中空カバー体１０内に、中空突出柱１３が設けられ、上記中空突出柱１３が、対応して、上記定位シート４０の中空スリーブ４２に嵌入して、ボルトで互いに螺着することができる。これにより、上記定位シート４０が、上記中空カバー体１０内に固定され、上記凹槽４１に、複数の上記カウンターウェイト環状シート５０が収納される。上記凹槽４１の槽縁壁に、隣り合う深い凹槽４１１と浅い凹槽４１２が形成され、上記深い凹槽４１１の浅い凹槽４１２の近くにある槽面と、浅い凹槽４１２の槽面に、径方向溝４３が形成される。上記閉鎖シート６０の外周縁に、突出係止ブロック６１が形成される。また、上記定位シート４０に面する一面の中央に、定位柱６２が設けられ、上記中空カバー体１０内の中央に、凹み孔１４が形成され、上記定位柱６２が、順に、複数の上記カウンターウェイト環状シート５０と上記定位シート４０の貫通孔４７に通された後、上記中空カバー体１０の凹み孔１４に貫設され、同時に、上記閉鎖シート６０の突出係止ブロック６１が、上記深い凹槽４１１に形成されて、上記閉鎖シート６０を回転させ、上記閉鎖シート６０の突出係止ブロック６１が、更に、上記径方向溝４３に形成され、上記閉鎖シート６０が、上記定位シート４０に係止されて、複数の上記カウンターウェイト環状シート５０を、上記定位シート４０の凹槽４１内に閉鎖する。また、上記閉鎖シート６０は、上記定位柱６２の異なる一面において、中央に、二つの対応する第二凹槽６３が形成され、上記二つの第二凹槽６３の間に、仕分け壁６４が形成され、上記閉鎖シート６０において、上記定位柱６２の一面に、複数のリブ６５が形成される。
【００１８】
また、上記中空カバー体１０は、溝１５が形成され、上記溝１５に、作動部材１６が枢着される。上記定位シート４０に、二つの貫通槽４５と二つの係止部４８が設けられ、上記中空カバー体１０に面する一面に、搖動部材４６が枢着され、上記搖動部材４６の一端から二つの係止シート４６１が伸び、上記二つの係止シート４６１の一側に、バネ４６２が設置される。上記二つの係止シート４６１は、それぞれ、上記二つの貫通槽４５に貫設されて、もう一つのカウンターウェイトモジュール３０の定位シート４０の二つの係止部４８に係止される。これにより、上記作動部材１６により、上記搖動部材４６が、動揺するように、連動される。また、上記搖動部材４６の二つの係止シート４６１は、もう一つのカウンターウェイトモジュール３０の定位シート４０の二つの係止部４８に対して、係止及び脱離ができる。そのため、上記二つの中空カバー体１０が、対応して結合及び互いに脱離をすることができる。
【００１９】
上記の具体的な実施形態による多機能健康器具の構造によれば、下記の利点が得られる。
１．図１〜２と図１３に示すように、ユーザーが、上記二つの中空カバー体１０を対向
して結合することにより本考案を利用する時、両手で、それぞれ、上記二つの中空カバー体１０のグリップ２０を持って、手部筋力を運動できる。また、ユーザーが、自身の両手の負荷能力に応じて、上記カウンターウェイトモジュール３０のカウンターウェイト環状シート５０の数を増減して上記カウンターウェイトモジュール３０の重量を調整でき、より快適かつ合理的な運動を行うことができる。
【００２０】
２．図１〜２と図１４に示すように、ユーザーが、上記二つの中空カバー体１０を分離
することにより本考案を利用する時、手部で、上記中空カバー体１０のグリップ２０を握って、上記二つの中空カバー体１０を、平面に放置して、一組の腕立て伏せ補助器の運動器材として、腕立て伏せ運動を行うことができる。
【００２１】
３．図１〜２と図１５に示すように、ユーザーが、上記二つの中空カバー体１０を分離することにより本考案を利用する時、手部で、上記中空カバー体１０のグリップ２０を揺動して、一組の亜鈴の運動器材として、腕立て伏せ運動を行い、また、ユーザーも、自身の片方の腕木の負荷能力に応じて、上記カウンターウェイトモジュール３０のカウンターウェイト環状シート５０の数を増減して上記カウンターウェイトモジュール３０の重量を調整でき、より快適かつ合理的な運動を行うことができる。
【００２２】
以上は、本考案の好適な実施形態についての説明であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２３】
【図１】本考案の一実施形態による多機能健康器具の斜視図である。
【図２】本考案の一実施形態による多機能健康器具の分解斜視図である。
【図３】本考案の一実施形態による多機能健康器具の中空カバー体とグリップ部分の組み立て斜視図である。
【図４】本考案の一実施形態による多機能健康器具の中空カバー体とグリップ部分の分解斜視図である。
【図５】本考案の一実施形態による多機能健康器具のカウンターウェイトモジュールの分解斜視図である。
【図６】本考案の一実施形態による多機能健康器具のカウンターウェイトモジュールの他の角度からの立体分解図である。
【図７】図５のカウンターウェイトモジュールの組立て斜視図である。
【図８】図６のカウンターウェイトモジュールの組立て図斜視図である。
【図９】本考案の一実施形態による多機能健康器具の作動部材と搖動部材及び係止シートの正常状態図である。
【図１０】本考案の作動部材が順に搖動部材と係止シートを連動させて係止シートが下へ作動する時の状態図である。
【図１１】本考案の一実施形態による多機能健康器具が結合していない状態の側面断面図である。
【図１２】本考案の一実施形態による多機能健康器具が結合している状態の側面断面図である。
【図１３】本考案の一実施形態による多機能健康器具を重量玉とする使用する場合の使用概念図である。
【図１４】本考案の一実施形態による多機能健康器具を腕立て伏せ補助器とする時の使用概念図である。
【図１５】本考案の一実施形態による多機能健康器具を亜鈴とする時の使用概念図である。
【符号の説明】
【００２４】
１０  中空カバー体
１１  結合孔
１２  弾性シート
１３  中空突出柱
１４  凹み孔
１５  溝
１６  作動部材
２０  グリップ
２１  結合柱
２２  錐部
３０  カウンターウェイトモジュール
４０  定位シート
４１  凹槽
４１１  深い凹槽
４１２  浅い凹槽
４２  中空スリーブ
４３  径方向溝
４４  パッド
４５  貫通槽
４６  搖動部材
４６１  係止シート
４６２  バネ
４７  貫通孔
４８  係止部
５０  カウンターウェイト環状シート
６０  閉鎖シート
６１  突出係止ブロック
６２  定位柱
６３  第二凹槽
６４  仕分け壁
６５  リブ
【図１】
0003194363.tif 000003
【図２】
0003194363.tif 000004
【図３】
0003194363.tif 000005
【図４】
0003194363.tif 000006
【図５】
0003194363.tif 000007
【図６】
0003194363.tif 000008
【図７】
0003194363.tif 000009
【図８】
0003194363.tif 000010
【図９】
0003194363.tif 000011
【図１０】
0003194363.tif 000012
【図１１】
0003194363.tif 000013
【図１２】
0003194363.tif 000014
【図１３】
0003194363.tif 000015
【図１４】
0003194363.tif 000016
【図１５】
0003194363.tif 000017
【手続補正書】
【提出日】平成26年9月16日(2014.9.16)
【手続補正１】
【補正対象書類名】実用新案登録請求の範囲
【補正対象項目名】全文
【補正方法】変更
【補正の内容】
【実用新案登録請求の範囲】
【請求項１】
外部に、グリップが実装され、対応して結合できる二つの対応する中空カバー体と、
それぞれ、上記の二つの中空カバー体内に結合される二つのカウンターウェイトモジュールと、
が含有される
ことを特徴とする多機能健康器具。
【請求項２】
上記グリップの端部に、結合柱が設けられ、上記結合柱の先端に、大径の錐部が形成され、上記中空カバー体に、上記結合柱に対応する結合孔が形成され、上記結合孔の周縁に、リング状に、上記錐部に対応した弾性シートが設けられ、上記結合柱が、上記結合孔に貫設され、その錐部を利用して、弾性シートに合わせて、上記結合孔に係止されて、上記グリップが、上記中空カバー体に実装されることを特徴とする請求項１に記載の多機能健康器具。
【請求項３】
上記カウンターウェイトモジュールに、定位シートと複数のカウンターウェイト環状シート及び閉鎖シートからなり、上記定位シートの中央に、貫通孔が形成され、その一面に、凹槽があって、もう一面に、中空スリーブが設けられ、上記中空カバー体内に、中空突出柱が設置され、上記中空突出柱が、上記定位シートの中空スリーブに対応して嵌入されることにより、上記定位シートが、上記中空カバー体内に固定され、上記凹槽に、複数の上記カウンターウェイト環状シートが収納され、上記凹槽の槽縁壁に、隣り合う深い凹槽と浅い凹槽が形成され、上記深い凹槽の浅い凹槽の近くにある槽面と浅い凹槽の槽面に、径方向溝が形成され、上記閉鎖シートの外周縁に、突出係止ブロックが形成され、上記定位シートに面する一面の中央に、定位柱が設けられ、上記中空カバー体内の中央に、凹み孔が形成され、上記定位柱が、順に、複数の上記カウンターウェイト環状シートと上記定位シートの貫通孔に通された後、上記中空カバー体の凹み孔に貫設され、同時に、上記閉鎖シートの突出係止ブロックが、上記深い凹槽に係止されて、上記閉鎖シートを回転させ、上記閉鎖シートの突出係止ブロックが、更に、上記径方向溝に係止され、上記閉鎖シートが、上記定位シートに係止されて、複数の上記カウンターウェイト環状シートを、上記定位シートの凹槽内に閉鎖することを特徴とする請求項１に記載の多機能健康器具。
【請求項４】
上記定位シートにおいて、上記凹槽の周囲に、リング状に、複数のパッドが設置されることを特徴とする請求項３に記載の多機能健康器具。
【請求項５】
上記中空突出柱が、対応して、上記定位シートの中空スリーブに貫設される時、ボルトで、互いに螺着されることを特徴とする請求項３に記載の多機能健康器具。
【請求項６】
複数の上記カウンターウェイト環状シートが、異なるサイズであることを特徴とする請求項３に記載の多機能健康器具。
【請求項７】
上記凹槽の槽壁が、上記の異なるサイズであるカウンターウェイト環状シートに対応して収納するように、階段状に形成されることを特徴とする請求項６に記載の多機能健康器具。
【請求項８】
上記閉鎖シートにおいて、上記定位柱と異なる一面の中央に、二つの対応する第二凹槽が形成され、二つの上記第二凹槽の間に、仕分け壁が形成されることを特徴とする請求項３に記載の多機能健康器具。
【請求項９】
上記閉鎖シートにおいて、上記定位柱の一面に、複数のリブが形成されることを特徴とする請求項３に記載の多機能健康器具。
【請求項１０】
上記中空カバー体に、溝が形成され、上記溝に、作動部材が枢着され、上記定位シートに、二つの貫通槽と二つの係止部が形成され、上記中空カバー体に面する一面に、搖動部材が枢着され、上記搖動部材の一端から、二つの係止シートが伸び、二つの上記係止シートの一側に、バネが設置され、二つの上記係止シートが、それぞれ、二つの上記貫通槽に貫設されて、もう一つのカウンターウェイトモジュールの定位シートの二つの係止部に係止され、これにより、上記作動部材により、上記搖動部材が連動されて揺動して、上記搖動部材の二つの係止シートが、もう一つのカウンターウェイトモジュールの定位シートの二つの係止部に対して、係止又は脱離することにより、二つの上記中空カバー体が、対応して結合又は脱離状態になることを特徴とする請求項３に記載の多機能健康器具。